(57)【要約】【課題】像保持体及び/又はベルト部材の交換を行う際の操作力を低減することができる画像形成装置を提供する。【解決手段】装置本体と、前記装置本体に開閉可能に設けられた開閉部材と、複数のトナー像形成手段で形成されたトナー像を保持する像保持体が、前記トナー像形成手段のすべてに接触する第一接触位置と、前記トナー像形成手段の少なくとも１つに接触する第二接触位置との間で移動可能に構成されたトナー像保持手段と、を備え、前記開閉部材が前記装置本体に対して開放されるとき、又は前記装置本体へ電力を供給する電源が遮断されるときに、前記像保持体が前記第二接触位置に移動する。【選択図】図９
2015102829.tif 000002
【特許請求の範囲】
【請求項１】
装置本体と、
前記装置本体に開閉可能に設けられた開閉部材と、
複数のトナー像形成手段で形成されたトナー像を保持する像保持体が、前記トナー像形成手段のすべてに接触する第一接触位置と前記トナー像形成手段の少なくとも１つに接触する第二接触位置との間で移動可能に構成されたトナー像保持手段と、を備え、
前記開閉部材が前記装置本体に対して開放されるとき、又は前記装置本体へ電力を供給する電源が遮断されるときに、前記像保持体が前記第二接触位置に移動する、
ことを特徴とする画像形成装置。
【請求項２】
前記開閉部材が前記装置本体に対して開放されるとき、又は前記電源が遮断されるときに、予め定められた時間前記電源からの電力の供給を継続する電源遅延手段を備えている、
ことを特徴とする請求項１に記載の画像形成装置。
【請求項３】
前記開閉部材が前記装置本体に対して開放されるとき、又は前記電源が遮断されるときに前記像保持体が第二接触位置に移動するか否かを設定する設定手段を備え、前記像保持体が第二接触位置に位置して画像形成動作を終了したときには、前記電源遅延手段を作動させない、
ことを特徴とする請求項１又は２に記載の画像形成装置。
【発明の詳細な説明】
【技術分野】
【０００１】
本発明は、画像形成装置に関する。
【背景技術】
【０００２】
像担持体に対する中間転写ベルトの位置を調整する位置調整手段を備え、位置調整手段は、中間転写ベルトに所定の張力が付与され中間転写ベルトと像担持体とが接触した接触状態と、中間転写ベルトに所定の張力が付与され像担持体から中間転写ベルトを離間させた第一離間状態と、像担持体から中間転写ベルトを第一離間状態よりも大きく離間させた第二離間状態との各状態を取り得るように、像担持体に対する中間転写ベルトの位置を調整可能とした転写装置が知られている（特許文献１）。
【０００３】
トナー像形成手段をすべて用いて画像を形成する第一モードと、少なくとも１つのトナー像形成手段を用いず且つ１つ以上のトナー像形成手段を用いて画像形成を行う第二モードと、を備え、第二モードによる画像を形成するときには、少なくとも転写が終了するまでは、画像形成に用いないトナー像形成手段によって形成する画像を担持する像担持体を転写体表面から離間させておく接離装置を備えた画像形成装置において、接離装置は、画像形成に用いないトナー像形成手段によって形成する画像を担持する像担持体と転写体の接離動作を、各トナー色においてずらしたタイミングで行う画像形成装置も知られている（特許文献２）
【先行技術文献】
【特許文献】
【０００４】
【特許文献１】特開２０１１−６４７６２号公報
【特許文献２】特開２００８−１０２１６４号公報
【発明の概要】
【発明が解決しようとする課題】
【０００５】
本発明は、像保持体及び/又はベルト部材の交換を行う際の操作力を低減することを目的とする。
【課題を解決するための手段】
【０００６】
前記課題を解決するために、請求項１に記載の画像形成装置は、
装置本体と、
前記装置本体に開閉可能に設けられた開閉部材と、
複数のトナー像形成手段で形成されたトナー像を保持する像保持体が、前記トナー像形成手段のすべてに接触する第一接触位置と前記トナー像形成手段の少なくとも１つに接触する第二接触位置との間で移動可能に構成されたトナー像保持手段と、を備え、
前記開閉部材が前記装置本体に対して開放されるとき、又は前記装置本体へ電力を供給する電源が遮断されるときに、前記像保持体が前記第二接触位置に移動する、
ことを特徴とする画像形成装置。
【０００７】
請求項２記載の発明は、請求項１に記載の画像形成装置において、
前記開閉部材が前記装置本体に対して開放されるとき、又は前記電源が遮断されるときに、予め定められた時間前記電源からの電力の供給を継続する電源遅延手段を備えている、
ことを特徴とする。
【０００８】
請求項３記載の発明は、請求項１又は２に記載の画像形成装置において、
前記開閉部材が前記装置本体に対して開放されるとき、又は前記電源が遮断されるときに前記像保持体が第二接触位置に移動するか否かを設定する設定手段を備え、前記像保持体が第二接触位置に位置して画像形成動作を終了したときには、前記電源遅延手段を作動させない、
ことを特徴とする。
【発明の効果】
【０００９】
請求項１に記載の発明によれば、本構成を有しない場合に比し、像保持体及び/又はベルト部材の交換を行う際の操作力を低減することができる。
請求項２に記載の発明によれば、本構成を有しない場合に比し、電源が遮断された場合にも、像保持体及び/又はベルト部材の交換を行う際の操作力を低減することができる。
請求項３に記載の発明によれば、本構成を有しない場合に比し、像保持体の移動回数を抑制することができる。
【図面の簡単な説明】
【００１０】
【図１】画像形成装置の概略構成の一例を示す断面模式図である。
【図２】画像形成装置１におけるユニット構成を説明するための模式図である。
【図３】（ａ）は本体１００に対して像形成ユニット枠体１３０を引き出した状態の模式図、（ｂ）は本体１００に対してベルトユニット枠体１５０を引き出した状態の模式図である。
【図４】転写ユニット１５の内部構造を説明するための斜視図である。
【図５】（ａ）は転写ユニット１５の内部構造を説明するための平面図、（ｂ）は転写ユニット１５の内部構造を説明するための正面図である。
【図６】転写ユニット１５の接離機構を説明するための断面模式図である。
【図７】（ａ）はフルカラー印刷時に転写ユニット１５が感光体ユニット１３に接触した状態を示す断面模式図、（ｂ）は白黒印刷時の転写ユニット１５が感光体ユニット１３に接触した状態を示す断面模式図、（ｃ）は転写ユニット１５が感光体ユニット１３から離間した状態を示す断面模式図である。
【図８】モード切替駆動部のブロック図である。
【図９】転写ユニット１５のメンテナンス位置への移動を説明するためのフローチャートである。
【発明を実施するための形態】
【００１１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１２】
（１）画像形成装置の全体構成及び動作
（１．１）画像形成装置の全体構成
図１は本実施形態に係る画像形成装置の概略構成の一例を示す断面模式図である。
画像形成装置１は、画像形成部１０、画像形成部１０の一端に装着された用紙送り装置２０、画像形成部１０の他の一端に設けられ、印刷された用紙が排紙される排紙部３０、操作情報部４０、上位機器から送信された印刷情報から画像イメージを生成する画像処理部５０、を備えて構成されている。
【００１３】
画像形成部１０は、システム制御装置１１（図１において不図示）、露光装置１２、感光体ユニット１３、現像装置１４、転写ユニット１５、用紙搬送装置１６ａ、１６ｂ、１６ｃ、定着装置１７、電源装置１８（図１において不図示）、を備えて構成され、画像処理部５０から受け取った画像情報を、用紙送り装置２０から送り込まれた用紙Ｐ上にトナー画像として形成する。
【００１４】
用紙送り装置２０は、画像形成部１０に対する用紙供給を行う。すなわち、種類（例えば、材質や厚さ、用紙サイズ、紙目）の異なる用紙Ｐを収容する複数のトレイを備えており、これら複数のトレイのいずれか一つから繰り出した用紙Ｐを画像形成部１０に対して供給するように構成されている。
【００１５】
排紙部３０は、画像形成部１０にて画像出力が行われた用紙Ｐの排出を行う。そのために、排紙部３０は、画像出力後の用紙Ｐが排出される排紙トレイを備えている。なお、排紙部３０は、画像形成部１０から出力される用紙束に対して、裁断やステープル（針綴じ）等の後処理を行う機能を有したものであってもよい。
【００１６】
画像形成部１０には、操作情報部４０が設けられている。操作情報部４０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００１７】
（１．２）画像形成部の構成及び動作
このような構成の画像形成装置１では、画像形成のタイミングに合わせて用紙送り装置２０のうち、印刷ジョブで印刷の１枚毎に指定されたトレイから繰り出された用紙Ｐが画像形成部１０へ送り込まれる。
【００１８】
感光体ユニット１３は、露光装置１２の下方（−Ｚ方向）に、それぞれが並列して設けられ、回転駆動する像保持体としての感光体ドラム１３１を備えている。感光体ドラム１３１の回転方向にそって、帯電ローラ１３２、露光装置１２、現像装置１４、一次転写ローラ１５２、クリーニングブレード１３４が配置されている。
【００１９】
現像装置１４は、内部に現像剤が収容される現像ハウジング１４１を有する。現像ハウジング１４１内には、感光体ドラム１３１に対向して配置された現像ローラ１４２が配設され、現像ローラ１４２には、現像剤の層厚を規制する層規制部材（不図示）が近接配置されている。
現像装置１４各々は、現像ハウジング１４１に収容される現像剤を除いて同様に構成され、それぞれがイエロー（Ｙ）、マゼンタ（Ｍ）、シアン（Ｃ）、黒（Ｋ）のトナー像を形成する。
【００２０】
回転する感光体ドラム１３１の表面は、帯電ローラ１３２により帯電され、露光装置１２から出射する潜像形成光により静電潜像が形成される。感光体ドラム１３１上に形成された静電潜像は現像ローラ１４２によりトナー像として現像される。
【００２１】
転写ユニット１５は、各感光体ユニット１３の感光体ドラム１３１にて形成された各色トナー像が多重転写される像保持体としての中間転写ベルト１５１、各感光体ユニット１３にて形成された各色トナー像を中間転写ベルト１５１に順次転写（一次転写）する一次転写ローラ１５２（Ｙ）、（Ｍ）、（Ｃ）、（Ｋ）、中間転写ベルト１５１上に重畳して転写された各色トナー像を記録媒体である用紙に一括転写（二次転写）する二次転写ローラ１５３、二次転写ローラ１５３に対向して配置され転写電圧が印加されるバックアップローラ１６１から構成されている。
【００２２】
各感光体ユニット１３の感光体ドラム１３１に形成された各色トナー像は、システム制御装置１１により制御される電源装置１８から所定の転写電圧が印加された一次転写ローラ１５２により中間転写ベルト１５１上に順次静電転写（一次転写）され、各色トナーが重畳された重畳トナー像が形成される。
【００２３】
中間転写ベルト１５１上の重畳トナー像は、中間転写ベルト１５１の移動に伴って二次転写ローラ１５３が配置された領域（二次転写部ＴＲ）に搬送される。重畳トナー像が二次転写部ＴＲに搬送されると、そのタイミングに合わせて用紙送り装置２０から用紙Ｐが二次転写部ＴＲに供給される。そして、バックアップローラ１６１には、システム制御装置１１により制御される電源装置１８から所定の転写電圧が印加され、用紙Ｐに中間転写ベルト１５１上の多重トナー像が一括転写される。
【００２４】
感光体ドラム１３１表面の残留トナーは、クリーニングブレード１３４により除去され、廃トナー収容部（不図示）に回収される。感光体ドラム１３１の表面は、帯電ローラ１３２により再帯電される。
【００２５】
定着装置１７は一方向へ回転する無端状の定着ベルト１７ａと、定着ベルト１７ａの周面に接し、一方向へ回転する加圧ローラ１７ｂと、を有し、定着ベルト１７ａと加圧ローラ１７ｂの圧接領域によってニップ部（定着領域）が形成される。
転写ユニット１５においてトナー像が転写された用紙Ｐは、トナー像が未定着の状態で用紙搬送装置１６ａを経由して定着装置１７に搬送される。定着装置１７に搬送された用紙Ｐは、一対の定着ベルト１７ａと加圧ローラ１７ｂにより、圧着と加熱の作用でトナー像が定着される。
【００２６】
定着の終了した用紙Ｐは、用紙搬送装置１６ｂを通過して、排紙部３０に送り込まれる。
用紙Ｐの両面に画像出力を行う場合には、用紙搬送装置１６ｃにより当該用紙Ｐの表裏が反転され、再び画像形成部１０における二次転写部ＴＲへ送り込まれる。そして、トナー像の転写および転写像の定着が行われた後に、排紙部３０に送り込まれることになる。排紙部３０へ送り込まれた用紙Ｐは、必要に応じて裁断やステープル（針綴じ）等の後処理を経た後に、排紙トレイ上へ排出される。
【００２７】
（２）画像形成装置のユニット構成と操作
図２は画像形成装置１におけるユニット構成を説明するための模式図、図３（ａ）は本体１００に対して像形成ユニット枠体１３０を引き出した状態の模式図、図３（ｂ）は本体１００に対してベルトユニット枠体１５０を引き出した状態の模式図、図４は転写ユニット１５の内部構造を説明するための斜視図、図５（ａ）は転写ユニット１５の内部構造を説明するための平面図、図５（ｂ）は転写ユニット１５の内部構造を説明するための正面図、図６は転写ユニット１５の接離機構を説明するための断面模式図、図７（ａ）はフルカラー印刷時に転写ユニット１５が感光体ユニット１３に接触した状態を示す断面模式図、図７（ｂ）は白黒印刷時の転写ユニット１５が感光体ユニット１３に接触した状態を示す断面模式図、図７（ｃ）は転写ユニット１５が感光体ユニット１３から離間した状態を示す断面模式図である。
【００２８】
図２に示すように、画像形成装置１は、複数の感光体ユニット１３（図１参照）を収容する像形成ユニット枠体１３０と、転写ユニット１５を収容するベルトユニット枠体１５０とを備え、本体１００内に引き出し可能に収容されて配置されている。
【００２９】
（２．１）感光体ユニット
図３（ａ）に示すように、像形成ユニット枠体１３０は、用紙Ｐの搬送方向と直交する方向に（Ｙ方向）に像形成ユニット枠体１３０を引き出すためのハンドル１３５を有し、ハンドル１３５の操作によって、それぞれの感光体ユニット１３を一体的に手前側（Ｙ方向：図中矢印Ａ）に引き出すことを可能にしている。
【００３０】
それぞれの感光体ユニット１３の交換作業は、像形成ユニット枠体１３０とともに、４つの感光体ユニット１３をまとめて手前側（Ｙ方向：図中矢印Ａ）に引き出した後、上方からそれぞれの感光体ユニット１３に対して着脱操作することができる（Ｚ方向：図中矢印Ｂ）。
【００３１】
（２．２）転写ユニット
図３（ｂ）に示すように、ベルトユニット枠体１５０は、用紙Ｐの搬送方向と直交する方向に（Ｙ方向）にベルトユニット枠体１５０を引き出すためのハンドル２０２を有し、ハンドル２０２の回転操作によって、中間転写ベルト１５１をそれぞれの感光体ユニット１３から離間させた後、一体的に手前側（Ｙ方向：図中矢印Ａ）に引き出すことを可能にしている。
【００３２】
転写ユニット１５の交換作業は、ベルトユニット枠体１５０とともに、手前側（Ｙ方向：図中矢印Ａ）に引き出した後、上方から着脱操作することができる（Ｚ方向：図中矢印Ｂ）。
【００３３】
（２．３）転写ユニットの接離機構
このようなユニット構成の画像形成装置１における転写ユニット１５の接離機構について、図４ないし図６を参照しながら説明する。
【００３４】
図４及び図５に示すように、転写ユニット１５は、前支持板１６５Ａ及び後支持板１６５Ｂで支持された複数の一次転写ローラ１５２（Ｙ）、（Ｍ）、（Ｃ）、（Ｋ）、バックアップローラ１６１、駆動ローラ１６２、テンションローラ１６３、第１支持ローラ１６４Ａ、第２支持ローラ１６４Ｂ、第３支持ローラ１６４Ｃで像保持体としての中間転写ベルト１５１（図４、図５において不図示）を吊架して構成されている。
【００３５】
また、転写ユニット１５には、モータＭと複数のギア列Ｇ及びカムＣから構成されるモード切替駆動部Ｄと、モード切替駆動部Ｄからの駆動を受けてカラー用一次転写ローラ１５２（Ｙ）、（Ｍ）、（Ｃ）、第１支持ローラ１６４Ａ及び中間転写ベルト１５１を感光体ドラム１３１から離間させる第１スライド部材１６６が後支持板１６５Ｂに左右（Ｘ方向）に移動可能に支持されている。
また、後支持板１６５Ｂには、白黒用一次用転写ローラ１５２（Ｋ）、第２支持ローラ１６４Ｂ、第３支持ローラ１６４Ｃ及び中間転写ベルト１５１を感光体ドラム１３１から離間させる第２スライド部材１６７が左右（Ｘ方向）に移動可能に支持されている。
【００３６】
そして、転写ユニット１５には、前支持板１６５Ａと後支持板１６５Ｂを貫通して支持されたシャフト１６８の一端（後支持板１６５Ｂ側）にカム部材１６９が固定され、他端（前支持板１６５Ａ側）にハンドル２０２が設けられている。ハンドル２０２を回転操作することで、第１スライド部材１６６及び第２スライド部材１６７が互いに離間する方向に移動し、全ての一次転写ローラ１５２（Ｙ）、（Ｍ）、（Ｃ）、（Ｋ）、第１支持ローラ１６４Ａ、第２支持ローラ１６４Ｂ、第３支持ローラ１６４Ｃを感光体ドラム１３１から離間させ、転写ユニット１５を本体１００から引き出す状態にすることができる。
【００３７】
（２．４）転写ユニットの接離動作
（２．４．１）フルカラー印刷位置
図６に示すように、中間転写ベルト１５１上に各色トナー像を形成するフルカラー印刷時には、全ての一次転写ローラ１５２（Ｙ）、（Ｍ）、（Ｃ）、（Ｋ）が中間転写ベルト１５１を介して各感光体ドラム１３１に接触した第一接触位置に位置している。
そして、中間転写ベルト１５１の内面側から中間転写ベルト１５１を支持するそれぞれの第１支持ローラ１６４Ａ、第２支持ローラ１６４Ｂ、第３支持ローラ１６４Ｃも中間転写ベルト１５１を感光体ドラム１３１側へ付勢して吊架する位置に位置している。
【００３８】
（２．４．２）白黒印刷位置
第１接触位置の状態から、モード切替駆動部Ｄからの駆動を受けてカムＣが回転する（図６中  矢印Ｒ１方向）と、第１スライド部材１６６が水平方向（−Ｘ方向：図６中  矢印Ａ方向）に移動してカラー用一次転写ローラ１５２（Ｙ）、（Ｍ）、（Ｃ）が感光体ドラム１３１から離間するように回転移動する（図６中  矢印Ｒ３方向）。また、第１支持ローラ１６４Ａも中間転写ベルト１５１を感光体ドラム１３１から離間させる方向に回転移動する（図６中  矢印Ｒ３方向）。
その結果、転写ユニット１５は、図７（ｂ）に模式的に示す白黒印刷モードである第二接触位置に位置することになる。
【００３９】
（２．４．３）メンテナンス位置
ハンドル２０２を回転操作することよって、シャフト１６８及びシャフト１６８の一端（後支持板１６５Ｂ側）に固定されたカム部材１６９が回転する（図６中  矢印Ｒ２方向）と、第１スライド部材１６６が水平方向（−Ｘ方向：図６中  矢印Ａ方向）に移動してカラー用一次転写ローラ１５２（Ｙ）、（Ｍ）、（Ｃ）及び第１支持ローラ１６４Ａが感光体ドラム１３１から離間するように回転移動する（図６中  矢印Ｒ３方向）。
また、同時に第２スライド部材１６７は水平方向（Ｘ方向：図６中  矢印Ｂ方向）に移動して白黒用一次転写ローラ１５２（Ｋ）及び第２支持ローラ１６４Ｂ、第３支持ローラ１６４Ｃが感光体ドラム１３１から離間するように回転移動する（図６中  矢印Ｒ４方向）。
【００４０】
その結果、転写ユニット１５は、図７（ｃ）に模式的に示すメンテナンスに位置し、全ての一次転写ローラ１５２（Ｙ）、（Ｍ）、（Ｃ）、（Ｋ）、第１支持ローラ１６４Ａ、第２支持ローラ１６４Ｂ、第３支持ローラ１６４Ｃを感光体ドラム１３１から離間させ、転写ユニット１５を本体１００から引き出す状態にすることができる。
【００４１】
このような転写ユニット１５の離接動作において、転写ユニット１５がフルカラー印刷位置にある状態から、操作者がハンドル２０２を回転操作して、転写ユニット１５をメンテナンス位置に移動させる場合には、感光体ドラム１３１側へ付勢されている全ての一次転写ローラ１５２（Ｙ）、（Ｍ）、（Ｃ）、（Ｋ）、第１支持ローラ１６４Ａ、第２支持ローラ１６４Ｂ、第３支持ローラ１６４Ｃを感光体ドラム１３１から離間させるために、ハンドル２０２の回転操作に多大な操作力が必要になる。
【００４２】
一方、転写ユニット１５が白黒印刷位置にある状態から、操作者がハンドル２０２を回転操作して、転写ユニット１５をメンテナンス位置に移動させる場合には、感光体ドラム１３１側へ付勢されている白黒用一次転写ローラ１５２（Ｋ）、第２支持ローラ１６４Ｂ、第３支持ローラ１６４Ｃのみを感光体ドラム１３１から離間させるために、ハンドル２０２の回転操作の操作力はフルカラー印刷位置に比して軽減される。
【００４３】
具体的には、一例として本実施形態における画像形成装置１においては、転写ユニット１５がフルカラー印刷位置にある状態からメンテナンス位置へ移動させる場合には、４０Ｎから４５Ｎ程度の操作力を必要とする。一方、転写ユニット１５が白黒印刷位置にある状態からメンテナンス位置に移動させる場合には、３０Ｎ程度の操作力で足りることになる。
【００４４】
（３）転写ユニットの動作と作用
図８はモード切替駆動部のブロック図、図９は転写ユニット１５のメンテナンス位置への移動を説明するためのフローチャートである。以下、図面を参照しながら転写ユニット１５のメンテナンス位置への移動と作用について説明する。
【００４５】
本実施形態に係る画像形成装置１は、画像形成装置１本体に開閉可能に設けられた開閉部材が画像形成装置１本体に対して開放されるとき、又は電源装置１８が遮断されたときに、中間転写ベルト１５１が第一接触位置に位置しているときは白黒印刷位置である第二接触位置に移動する。
そして、操作者は、第二接触位置となった状態から、ハンドル２０２を回転操作して、転写ユニット１５をメンテナンス位置に移動させることができる。
【００４６】
（３．１）モード切替駆動部のブロック構成
図８に示すように、モード切替駆動部Ｄは、ＣＰＵ１１１（Central  Processing  Unit）、ＲＡＭ１１２（Random  Access  Memory）、ＲＯＭ１１３（Read  Only  Memory）、ＨＤＤ１１４（Hard  Disc  Drive）等の組み合わせからなるシステム制御装置１１を介して電源装置１８に接続されて駆動が可能となっている。
【００４７】
ＣＰＵ１１１には、入出力インターフェース（Ｉ／Ｏ）ＩＦを介してメインスイッチ１８１が接続され、このメインスイッチ１８１のＯＮによりモード切替駆動部Ｄの駆動が可能となっている。
また、ＣＰＵ１１１には、開閉部材としての前カバーの開閉に連動して設けられたインターロックスイッチＩＬ、操作情報部４０、電源遅延回路１８２が接続されている。
【００４８】
電源遅延回路１８２は、メインスイッチ１８１がＯＦＦされた際にモード切替駆動部Ｄの駆動を行うべくモータＭへ一定時間電源供給を継続する。
【００４９】
（３．２）モード切替駆動部の動作
次に、図９を参照しながら、画像形成装置１における転写ユニット１５のメンテナンス位置への移動について説明する。
印刷動作が終了した場合や、各種メンテナンスを行う場合等によりメインスイッチ１８１がＯＦＦされたか否かが判断される（Ｓ１１）。メインスイッチ１８１がＯＦＦされた場合にはステップＳ１３へと移行し、メインスイッチ１８１がＯＦＦされない（ＯＮ）場合、即ち、メインスイッチ１８１がＯＮされている状態であれば、インターロックスイッチＩＬがＯＦＦされたか否かが判断される（Ｓ１２）。
【００５０】
インターロックスイッチＩＬがＯＦＦされた場合には（Ｓ１２：Ｙｅｓ）ステップＳ１３へと移行し、インターロックスイッチＩＬがＯＦＦされない（ＯＮ）場合はその状態が維持される。
【００５１】
メインスイッチ１８１がＯＦＦされたとき、又はインターロックスイッチＩＬがＯＦＦされたときは、更に、電源遅延回路１８２を作動させるか否か判断される（Ｓ１３）。
電源遅延回路１８２を作動させるという設定がなされている場合（Ｓ１３：Ｙｅｓ）には、電源遅延回路１８２を作動させて（Ｓ１４）モード切替駆動部Ｄを駆動させて（Ｓ１５）転写ユニット１５を白黒印刷モードである第二接触位置に移動させる（Ｓ１６）。そして、電源遅延回路１８２が停止される（Ｓ１７）。
【００５２】
本実施形態における画像形成装置１においては、モード切替駆動部Ｄを駆動させて、転写ユニット１５をフルカラー印刷モードである第一接触位置から白黒印刷モードである第二接触位置に移動させるために要する時間は略１ｓｅｃないし１．５ｓｅｃであり、電源遅延回路１８２は２ｓｅｃで停止される。
【００５３】
ステップＳ１３で電源遅延回路１８２を作動させるという設定がなされていない場合（Ｓ１３：Ｎｏ）には、その状態が維持される。
【００５４】
その結果、メインスイッチ１８１がＯＦＦされたとき、又は前カバーが開放されてインターロックスイッチＩＬがＯＦＦされたときは、中間転写ベルト１５１が白黒印刷位置である第二接触位置に移動する。そして、第二接触位置となった状態から、ハンドル２０２を回転操作して、転写ユニット１５をメンテナンス位置に移動させる。このときは、感光体ドラム１３１側へ付勢されている白黒用一次転写ローラ１５２（Ｋ）、第２支持ローラ１６４Ｂ、第３支持ローラ１６４Ｃのみを感光体ドラム１３１から離間させるために、ハンドル２０２の回転操作の操作力はフルカラー印刷位置に比して軽減される。
【００５５】
また、中間転写ベルト１５１が第二接触位置に位置して画像形成動作を終了した状態から、ハンドル２０２を回転操作して、転写ユニット１５をメンテナンス位置に移動させるときは、ハンドル２０２の回転操作の操作力はフルカラー印刷位置に比して軽減され、電源遅延回路１８２を作動させないことにより、中間転写ベルト１５１の感光体ドラム１３１への接離のための移動回数を抑制することができる。
【００５６】
更に、開閉部材としての前カバーが開放されたとき、又は電源装置１８が遮断されたときに中間転写ベルト１５１が白黒印刷位置である第二接触位置に移動するか否かを設定する設定手段を備え、例えば操作情報部４０を介して電源遅延回路１８２を作動させるか否か設定可能とすることができる。
【符号の説明】
【００５７】
１・・・画像形成装置
１０・・・画像形成部
１１・・・システム制御装置
１２・・・露光装置
１３・・・感光体ユニット
１３０・・・像形成ユニット枠体
１３１・・・感光体ドラム
１３２・・・帯電ローラ
１３４・・・クリーニングブレード
１３５・・・ハンドル
１４・・・現像装置
１５・・・転写ユニット
１５０・・・ベルトユニット枠体
１５１・・・中間転写ベルト
１５２・・・一次転写ローラ
１５３・・・二次転写ローラ
１６１・・・バックアップローラ
１６２・・・駆動ローラ
１６３・・・テンションローラ
１６４Ａ・・・第１支持ローラ
１６４Ｂ・・・第２支持ローラ
１６４Ｃ・・・第３支持ローラ
１６５Ａ・・・前支持板
１６５Ｂ・・・後支持板
１６６・・・第１スライド部材
１６７・・・第２スライド部材
１６８・・・シャフト
１６９・・・カム部材
１６ａ、１６ｂ、１６ｃ・・・用紙搬送装置
１７・・・定着装置
１８・・・電源装置
１８１・・・メインスイッチ
１８２・・・電源遅延回路
２０・・・用紙送り装置
３０・・・排紙部
４０・・・操作情報部
５０・・・画像処理部
１００・・・筐体
【図１】
2015102829.tif 000003
【図２】
2015102829.tif 000004
【図３】
2015102829.tif 000005
【図４】
2015102829.tif 000006
【図５】
2015102829.tif 000007
【図６】
2015102829.tif 000008
【図７】
2015102829.tif 000009
【図８】
2015102829.tif 000010
【図９】
2015102829.tif 000011